【手続補正書】
【提出日】令和3年3月26日(2021.3.26)
【手続補正１】
【補正対象書類名】明細書
【補正対象項目名】００１８
【補正方法】変更
【補正の内容】
【００１８】
単位セル１１０の周期的配列の周期Ｐは、概略的にスパース吸音材１００が吸収するように設計される音波の波長より実質的に小さい。図１Ｃに示すように、周期は、隣り合う単位セル間の中心間距離と同等と見なすことができる。別の実施形態では、単位セル１１０の周期的配列の周期は、スパース吸音材１００が吸収するように設計される音波の波長（即ち吸音材１００の共鳴周波数／波長）の０.１未満又は０.０１未満である。例えば、いくつかの実施形態では、スパース吸音材１００は、数ミリメートル（ｍｍ）から数１０メートルの範囲の波長を持つ人間の可聴周波数の音波を吸収するように設計できる。このような実施形態において、単位セル１１０の周期的配列は、１０又は数１０μｍから約１ｍｍの範囲の周期を持つことができる。いくつかの実施形態では、スパース吸音材１００は、約１００μｍから約２ｍｍの範囲内の波長を有する音波など、ＭＨｚ周波数範囲の音波を吸収するように設計される。このような実施形態では、スパース吸音材１００は、約１μｍから約１００μｍまでの範囲内の周期を持つことができる。特定の実施形態では、スパース吸音材１００は、その共鳴波長の約１/４から約１/２までの範囲内の周期を持つことができる。
【手続補正２】
【補正対象書類名】特許請求の範囲
【補正対象項目名】全文
【補正方法】変更
【補正の内容】
【特許請求の範囲】
【請求項１】
横方向に離間させた二面ヘルムホルツ共鳴器の周期的配列を備える吸音材であって、
前記周期的配列は、
横方向の中点間距離Ｐだけ離間した複数の単位セルを備え、各単位セルは、最大横寸法Ｗを有し、ＰがＷより大きく、充填率は０．５未満であり、
各単位セルは、
第１チャンバ体積を画定する少なくとも１つの第１境界壁を境界とする第１チャンバ部分と、
前記少なくとも１つの第１境界壁の第１面に開口部を形成し、前記第１チャンバ部分を周囲環境と流体連通させる第１ネック部と、
を有する第１ヘルムホルツ共鳴器と、
第２チャンバ体積を画定する少なくとも１つの第２境界壁を境界とする第２チャンバ部分と、
前記少なくとも１つの第２境界壁の第２面に開口部を形成し、前記第２チャンバ部分を前記周囲環境と流体連絡させる第２ネック部と、
を有する第２ヘルムホルツ共鳴器と、
を備え、
前記少なくとも１つの第１境界壁の前記第１面と前記少なくとも１つの第２境界壁の前記第２面が前記単位セルの対向する側に在り、前記第２チャンバ体積が前記第１チャンバ体積より大きい、
吸音材。
【請求項２】
Ｗが０.５Ｐ以下である、
請求項１に記載の吸音材。
【請求項３】
Ｗが０.２５Ｐ以下である、
請求項１に記載のスパース吸音材。
【請求項４】
前記第１ネック部の長さが前記第２ネック部の長さより大きい、
請求項１に記載の吸音材。
【請求項５】
Ｐが前記吸音材の共鳴波長の約四分の一から二分の一までの範囲内にある、
請求項１に記載のスパース吸音材。
【請求項６】
各単位セルの前記周期的配列が二次元配列を備える、
請求項１に記載のスパース吸音材。
【請求項７】
前記二次元配列は、第１及び第２次元において、横方向の中点間距離Ｐだけ等しく離間した単位セルを備え、
各単位セルは、２つの次元の各々において、等しい最大横寸法Ｗを有する、
請求項６に記載のスパース吸音材。
【請求項８】
第１方向から前記吸音材に入射する共鳴周波数の音波を吸収し、前記第１方向と実質的に反対の第２方向から前記吸音材に入射する前記共鳴周波数の音波を主に反射するように構成される、
請求項１に記載のスパース吸音材。
【請求項９】
周囲媒体が浸透し易い基体であって、その中に点在する周期的開口を有する連続的固形材料を備える基体と、
前記基体の中に組み込まれた単位セルの周期的配列と、
を備え、
前記単位セルは、横方向の中点間距離Ｐだけ離間し、各単位セルは、最大横寸法Ｗを有し、ＰがＷより大きく、
各単位セルは、
第１チャンバ体積を画定する少なくとも１つの第１境界壁を境界とする第１チャンバ部分と、
前記少なくとも１つの第１境界壁の第１面に開口部を形成し、前記第１チャンバ部分を周囲環境と流体連通させる第１ネック部と、
を有する第１ヘルムホルツ共鳴器と、
第２チャンバ体積を画定する少なくとも１つの第２境界壁を境界とする第２チャンバ部分と、
前記少なくとも１つの第２境界壁の第２面に開口部を形成し、前記第２チャンバ部分を前記周囲環境と流体連絡させる第２ネック部と、
を有する第２ヘルムホルツ共鳴器と、
を備え、
前記少なくとも１つの第１境界壁の前記第１面と前記少なくとも１つの第２境界壁の前記第２面が前記単位セルの対向する側に在り、前記第２チャンバ体積が前記第１チャンバ体積より大きく、
前記第１ネック部及び前記第２ネック部は、対向する開口部を画定する、
二重機能音響抑制システム。
【請求項１０】
前記基体は、実質的に平面であり、第１及び第２の平面状の表面を有する、
請求項９に記載のシステム。
【請求項１１】
音波が一方の側の前記表面に入射するときは、共鳴周波数又はこれに近い音波を主に吸収し、前記音波が他方の側の前記表面に入射するときは、前記共鳴周波数又はこれに近い音波を主に反射する、
請求項１０に記載のシステム。
【請求項１２】
前記基体は、金属又はプラスチックメッシュを備える、
請求項９に記載のシステム。
【請求項１３】
Ｗが０.５Ｐ以下である、
請求項９に記載のシステム。
【請求項１４】
Ｗが０.２５以下である、
請求項９に記載のシステム。
【請求項１５】
前記第１ネック部の長さが、前記第２ネック部の長さより大きい、
請求項９に記載のシステム。
【請求項１６】
Ｐが、吸音材の共鳴波長の四分の一から二分の一までの範囲内にある、
請求項９に記載のシステム。
【請求項１７】
前記基体は、前記単位セルの周期的配列の充填率より実質的に低い基体充填率であることを特徴とする、
請求項９に記載のシステム。
【請求項１８】
音響抑制システムでコーティングされたファンであって、
電流に応じて空気を移動させるように構成されたファンと、
前記ファンをコーティング又はシールドする音響抑制システムと、を備え、
前記システムは、
周囲媒体が浸透し易い基体であって、その中に点在する周期的開口を有する連続的固形材料を有する基体と、
前記基体の中に組み込まれた単位セルの周期的配列と、
を備え、
前記単位セルが、横方向の中点間距離Ｐによって分離され、各単位セルが、最大横寸法Ｗを有し、ＰがＷより大きく、充填率は０．５未満であり、
各単位セルは、
第１チャンバ体積を画定する少なくとも１つの第１境界壁を境界とする第１チャンバ部分と、
前記少なくとも１つの第１境界壁の第１面に開口部を形成し、前記第１チャンバ部分を周囲環境と流体連通させる第１ネック部と、
を有する第１ヘルムホルツ共鳴器と、
第２チャンバ体積を画定する少なくとも１つの第２境界壁を境界とする第２チャンバ部分と、
前記少なくとも１つの第２境界壁の第２面に開口部を形成し、前記第２チャンバ部分を前記周囲環境と流体連絡させる第２ネック部と、
を有する第２ヘルムホルツ共鳴器と、
を備え、
前記少なくとも１つの第１境界壁の前記第１面と前記少なくとも１つの第２境界壁の前記第２面が前記単位セルの対向する側に在り、前記第２チャンバ体積が前記第１チャンバ体積より大きい、
ファン。
【請求項１９】
前記基体は、実質的に平面であり、第１及び第２の平面状の表面を有する、
請求項１８に記載のファン。
【請求項２０】
請求項１８に記載のファンを備える自動車。